(57)【要約】      （修正有）【課題】吊り杆の曲げ調節を簡単且つ確実に行うことのできる簡易な構造の折板吊金具用補強プレートを提供する。【解決手段】吊り杆Ｔ１の下端に耳保持部Ｔ２を備えた軒樋吊金具Ｔ３を設け、吊り杆Ｔ１の上端を、折板屋根Ｙ等に挿通して固定される折板吊金具Ｔに用いるための補強プレートＡであって、補強プレートＡは、吊り杆Ｔ１を添設する一枚の板体１と、吊り杆Ｔ１を固定する固着具２とで構成し、板体１は、固着具２を挿通する取付孔を開設し、上端には、折板屋根Ｙ等の裏面に当接する当接片１２を設け、略中間には、一側方に向けて開放された横切込部１３を形成し、横切込部１３を介した板体１の上、下には、各々逆方向に膨出され、上、下方向に連通した上側膨出溝部１４及び下側膨出溝部１５を形成し、これら上側膨出溝部１４及び下側膨出溝部１５は、板体１の上、下端の何れか一方に亘って拡幅又は減幅するように形成する。【選択図】図２
2008280795.tif 000002
【特許請求の範囲】
【請求項１】
吊り杆の下端に耳保持部を備えた軒樋吊金具を設け、前記吊り杆の上端を、折板屋根等に挿通して固定される折板吊金具に用いるための補強プレートであって、
前記補強プレートは、前記吊り杆を添設する一枚の板体と、この添設した前記吊り杆を固定するための固着具と、より構成してなり、
前記板体は、前記固着具を挿通する取付孔を開設すると共に、上端には、前記折板屋根等の裏面に当接する当接片を設け、又、前記板体の略中間には、一側方に向けて開放された横切込部が形成され、
前記横切込部を介した前記板体の上、下には、各々逆方向に膨出されると共に、上、下方向に連通した上側膨出溝部及び下側膨出溝部を形成し、更に、これら上側膨出溝部及び下側膨出溝部は、前記板体の上、下端の何れか一方に亘って拡幅又は減幅するように形成したことを特徴とする折板吊金具用補強プレート。
【請求項２】
請求項１において、
上側膨出溝部及び下側膨出溝部は、板体の略中央に形成している折板吊金具用補強プレート。
【請求項３】
請求項１又は２の何れかにおいて、
吊り杆は、ネジ山を備えたボルト軸で形成するとともに、上側膨出溝部及び／又は下側膨出溝部には、内方に向けて突出させた切り起し爪を形成して、この切り起し爪が前記吊り杆のネジ山に係止されるようにしている折板吊金具用補強プレート。
【発明の詳細な説明】
【技術分野】
【０００１】
本発明は、吊り杆の下端に耳保持部を備えた軒樋吊金具を設け、前記吊り杆の上端を、折板屋根等に挿通して固定される折板吊金具用補強プレートに関する。
【背景技術】
【０００２】
折板屋根等の建物では、軒樋等を直接取り付けできないため、一般には、前記折板屋根等に軒樋吊金具を固定し、該軒樋吊金具に前記軒樋を取付ける折板吊金具が使用されている。
【０００３】
このような折板吊金具は、吊り杆の下端に軒樋を取り付ける耳保持部を備えた軒樋吊金具を設け、前記吊り杆の上端を、折板屋根等に挿通して固定している。
【０００４】
そのため、前記吊り杆の上端には、軒樋等の全荷重が集中荷重となってかかり、前記吊り杆や折板屋根等に、曲げや破損等を生じる危険があるため、最近では、前記集中荷重を分散させて、曲げや破損等を防止するための補強部材が提案されている。
【０００５】
この補強部材は、吊り杆に貫通され、該吊り杆の上部に直交する方向に固定されてなり、前記補強部材の上面全体が、前記折板屋根等の裏面に当接されるようにしている。
【０００６】
そのため、前記軒樋等にかかる全荷重は、前記補強部材が当接している上面全体が折板屋根等の裏面に分散荷重となって負荷されるため、前記吊り杆や折板屋根等に生じる曲げや破損等を防止できる（例えば、特許文献１参照。）。
【特許文献１】特開平８−２５３９８５号
【発明の開示】
【発明が解決しようとする課題】
【０００７】
このように、従来の折板吊金具用補強部材は、吊り杆や折板屋根等に生じる曲げや破損等を防止できる点で効果があるが、構造が複雑であるうえ、施工し難いという問題があった。
【０００８】
具体的には、前記吊り杆の上端は、折板屋根等に挿通して固定されるが、前記補強部材は、この作業前に予め前記吊り杆に貫通して取り付ける必要がある。
【０００９】
一方、折板屋根等には、屋根勾配があると共に、該屋根勾配は、設置する建物等によって様々であるが、前記軒樋吊金具自体は、これを水平に設置しなければならない。
【００１０】
そのため、施工現場においては、前記軒樋吊金具自体が水平に設置されるように、前記屋根勾配に応じて前記吊り杆を若干曲げて加工したうえで、取付けることが多い。
【００１１】
しかしながら、前記補強金具を備えた折板吊金具では、前記吊り杆の曲げ調節の度に一々前記補強部材を取外して調節した後、再度吊り杆に貫通しなければならない手間が生じ、施工し難いという問題がある。
【００１２】
そこで、本発明者等は、吊り杆の曲げ調節を行った後に装着可能な着脱構造の折板吊金具用補強部材を新規に創作しただけでなく、更に進んで、折板吊金具の設置後であっても、前記吊り杆の曲げ調節を簡単且つ確実に行うことのできる簡易な構造の折板吊金具用補強プレートを提供するものである。
【課題を解決するための手段】
【００１３】
上記目的を達成するため、
請求項１に係る折板吊金具用補強プレートは、吊り杆の下端に耳保持部を備えた軒樋吊金具を設け、前記吊り杆の上端を、折板屋根等に挿通して固定される折板吊金具に用いるための補強プレートであって、前記補強プレートは、前記吊り杆を添設する一枚の板体と、この添設した前記吊り杆を固定するための固着具と、より構成してなり、前記板体は、前記固着具を挿通する取付孔を開設すると共に、上端には、前記折板屋根等の裏面に当接する当接片を設け、又、前記板体の略中間には、一側方に向けて開放された横切込部が形成され、前記横切込部を介した前記板体の上、下には、各々逆方向に膨出されると共に、上、下方向に連通した上側膨出溝部及び下側膨出溝部を形成し、更に、これら上側膨出溝部及び下側膨出溝部は、前記板体の上、下に亘って拡幅又は減幅するように形成したことを特徴とする。
【００１４】
請求項２に係る折板吊金具用補強プレートは、請求項１において、上側膨出溝部及び下側膨出溝部は、板体の略中央に形成している。
【００１５】
請求項３に係る折板吊金具用補強プレートは、請求項１又は２の何れかにおいて、吊り杆は、ネジ山を備えたボルト軸で形成するとともに、上側膨出溝部及び／又は下側膨出溝部には、内方に向けて突出させた切り起し爪を形成して、この切り起し爪が前記吊り杆のネジ山に係止されるようにしている。
【発明の効果】
【００１６】
本発明によれば、次のような効果がある。
請求項１に係る折板吊金具用補強プレートによれば、吊り杆を添設する一枚の板体と、前記吊り杆を固定するための固着具と、より構成してなり、前記板体の上端に折板屋根等の裏面に当接する当接片を設けた簡易な構造にしている。
【００１７】
そのため、吊り杆の曲げ調節を行った後に、前記一枚の板体を前記吊り杆に着脱自在にできるため、折板吊金具の施工を簡単且つ確実に行うことができる。
【００１８】
又、板体の略中間には、一側方に向けて開放された横切込部が形成され、前記横切込部を介した前記板体の上、下には、各々逆方向に膨出されると共に、上、下方向に連通した上側膨出溝部及び下側膨出溝部を形成している。
【００１９】
そのため、折板吊金具の設置後においても、設置した吊り杆に対して、前記横切込部を嵌挿して板体を回転するだけで、該板体を前記吊り杆に添設することができ、この添接した前記吊り杆と板体を固着具で固定するだけで、両者を簡単且つ確実に固定できる。
【００２０】
更に、これら上側膨出溝部及び下側膨出溝部は、前記板体の上、下に亘って拡幅又は減幅するように形成している。
【００２１】
そのため、折板吊金具の設置後においても、これら上側膨出溝部及び下側膨出溝部の許容範囲内で吊り杆の曲げ調節を行うことができ、前記吊り杆の曲げ調節を簡単且つ確実に行うことができる。
【００２２】
請求項２に係る折板吊金具用補強プレートによれば、上側膨出溝部及び下側膨出溝部は、板体の略中央に形成しているので、板体の略中央で吊り杆の曲げ調節を行うことができ、前記吊り杆が上側膨出溝部及び下側膨出溝部から外れる恐れがなく、曲げ調節をより確実に行うことができる。
【００２３】
請求項３に係る折板吊金具用補強プレートによれば、吊り杆は、ネジ山を備えたボルト軸で形成するとともに、上側膨出溝部及び／又は下側膨出溝部膨出溝部には、内方に向けて突出させた切り起し爪を形成して、この切り起し爪が前記吊り杆のネジ山に係止されるようにしている。
【００２４】
そのため、前記一枚の板体を前記吊り杆に装着した際、この上側膨出溝部及び／又は下側膨出溝部に形成した切り起し爪が、前記吊り杆のネジ山に係止されるため、前記一枚の板体がズレることなく確実に装着されて折板吊金具の施工をより確実に行うことができる。
【発明を実施するための最良の形態】
【００２５】
以下、本発明に係る折板吊金具用補強プレートＡを図面とともに説明する。
【実施例１】
【００２６】
図１は、本発明に係る折板吊金具用補強プレートＡの一実施例を概略した分解斜視図であり、図２（ａ）、（ｂ）は、図１で示した折板吊金具用補強プレートＡの正面図及び要部側面図である。
【００２７】
この折板吊金具用補強プレートＡは、吊り杆Ｔ１の下端に耳保持部Ｔ２備えた軒樋吊金具Ｔ３を設け、吊り杆Ｔ１の上端を、折板屋根Ｙに挿通して固定される折板吊金具Ｔに用いるものであって、吊り杆Ｔ１を添設する一枚の板体１と、この添設した吊り杆Ｔ１を固定するための固着具２と、より構成してなる。
【００２８】
板体１は、固着具２を挿通する取付孔１１を適所に開設すると共に、上端には、折板屋根Ｙの裏面に当接する当接片１２を設けている。
【００２９】
ここでは、板体１上端の両側に、当接片１２を何れも前方に向けて突設したものを例示しているが、例えば、当接片１２を前、後の異なる方向に向けて各々形成したり、或いは、板体１上端の一側にのみ形成することも可能である。
【００３０】
又、板体１の両側端には、当接片１２の両側片を延設させて補強リブ１２ａを形成しており、当接片１２の強度を高めている。
【００３１】
なお、板体１の形状は、上方から下方に向けて略狭くした略逆台形状に形成して、板体１を小型化しているが、これに限定されるものではなく、折板屋根Ｙの断面波形状等に応じて適宜選択できる。
【００３２】
又、板体１の略中央には、一側方に向けて開放された矩形状の横切込部１３を形成しており、この横切込部１３を介した板体１の略中央には、上、下に向けて、各々逆方向に膨出されると共に、上、下方向に連通した上側膨出溝部１４及び下側膨出溝部１５を形成している。
【００３３】
横切込部１３は、開放した一側方から上側膨出溝部１４及び下側膨出溝部１５を越える程度に切り欠いていれば良く、その形状は限定されない。
【００３４】
又、上側膨出溝部１４及び下側膨出溝部１５は、板体１の上、下端の何れか一方から他方に向けて徐々に拡幅又は減幅するように形成しており、ここでは、板体１の下端から上端に向けて徐々に拡幅（板体１の上端から下端に向けて徐々に減幅）するように形成した上側膨出溝部１４及び下側膨出溝部１５を例示している。
【００３５】
これら上側膨出溝部１４及び下側膨出溝部１５の拡幅又は減幅は、吊り杆Ｔ１の曲げ調節を行った後に、該吊り杆１を膨出溝部１３内に収容できる程度（吊り杆Ｔ１の曲げを許容できる程度）に形成されていれば良い。
【００３６】
本実施例の吊り杆Ｔ１は、ネジ山Ｔ１１を備えたボルト軸で形成するとともに、下側膨出溝部１５には、内方（吊り杆Ｔ１側）に向けて突出させた切り起し爪１６を形成して、この切り起し爪１６が吊り杆Ｔ１のネジ山Ｔ１１に係止されるようにして、板体１と吊り杆Ｔ１の係止を確実に行うようにしている。
【００３７】
この切り起し爪１６は、上側膨出溝部１４に形成することも可能であり、或いは、上側膨出溝部１４及び下側膨出溝部１５の両方に形成して、吊り杆Ｔ１との係止をより確実に行うことも可能である。
【００３８】
更に、切り起し爪１６の形状も、図例のような切り起した板状のものに限定されず、例えば、下側膨出溝部１５の内方（吊り杆Ｔ１側）に向けて膨出させたリブであっても良く、ネジ山Ｔ１１に係止できるように形成されていれば良い。
【００３９】
このような切り起し爪１６を形成しておけば、この切り起し爪１６が吊り杆Ｔ１のネジ山Ｔ１１間の谷に嵌り込み、確実に係止するため、一枚の板体１がズレることなく折板吊金具Ｔの施工をより確実に行うことができる。
【００４０】
固着具２は、一枚の板体１と、吊り杆Ｔ１を確実に固着できるものであれば良く、ここでは、板体１の下端近傍の両側に開設した取付孔１１にボルト２１を正面側から挿通し、このボルト２１を貫通する穴部２２を設けた固定プレート２３を正面側に配置し、この固定プレート２３の穴部２２にボルト２１を貫通させて該固定プレート２３を吊り杆Ｔ１に接合させた後、ボルト２１の先端にナット２２を背面側から螺着して、一枚の板体１に吊り杆Ｔ１を固着する構造のものを例示している。
【００４１】
本実施例の固定プレート２３は、補強の為に両端をビート加工している。そのビート加工先端は、ボルト押え面より突起しており、ボルト２１の先端にナット２２を螺着すると、固定プレート２３の両先端が、吊り杆Ｔ１のネジ山Ｔ１１間の谷に嵌り込み、確実に係止する。
【００４２】
以上のように構成した本発明に係る折板吊金具用補強プレートＡは、以下の要領で使用する。
【００４３】
先ず、軒樋吊金具Ｔ３を備えた吊り杆Ｔ１の上端を、折板屋根Ｙに挿通し、この吊り杆Ｔ１の上端部にゴムパッキン等を備えたナット等の締着具からなる固定部材Ｔ４を螺合して、折板屋根Ｙに折板吊金具Ｔを取付ける。
【００４４】
そして、折板屋根Ｙの屋根勾配に応じて、軒樋（不図示）が水平に設置されるように、吊り杆Ｔ１を周知手段によって若干曲げ加工を行い調節する。
【００４５】
次に、図２（ｂ）中の想像線で示すように、板体１を傾斜させた状態で板体１の切込部１３を吊り杆Ｔ１に嵌挿すると共に、同図の矢印で示すように、傾斜された板体１を鉛直方向に回転すれば、上側膨出溝部１４及び下側膨出溝部１５に吊り杆Ｔ１が収容される。
【００４６】
そして、吊り杆Ｔ１を挟み込むようにして固定プレート２３を正面側の下端近傍に配置し、固定プレート２３の正面側からボルト２１を穴部２２及び取付孔１１に貫通させた後、ボルト２１の先端にナット２２を背面側から仮締めして、吊り杆Ｔ１に一枚の板体１を仮止めする。
【００４７】
最後に、仮止めした板体１を上方に押し上げて、上端に設けた当接片１２を、折板屋根Ｙの裏面に当接させたうえで、ナット２２を確実に締付け、施工を完了する。
【００４８】
このように、本発明の折板吊金具用補強プレートＡによれば、吊り杆Ｔ１の曲げ調節を行った後に、一枚の板体１を吊り杆Ｔ１に装着できるため、折板吊金具Ｔの施工を簡単且つ確実に行うことができる。
【００４９】
又、板体１の略中間には、一側方に向けて開放された横切込部１３が形成され、この横切込部１３を介した板体１の上、下には、各々逆方向に膨出されると共に、上、下方向に連通した上側膨出溝部１４及び下側膨出溝部１５を形成している。
【００５０】
そのため、折板吊金具Ｔの設置後においても、設置した吊り杆Ｔ１に対して、横切込部１３を嵌挿して板体１を回転するだけで、該板体１を吊り杆Ｔ１に添設することができ、この添接した吊り杆Ｔ１と板体１を固着具２で固定するだけで、両者を簡単且つ確実に固定できる。
【００５１】
更に、板体１の略中央には、下端から上端に向けて徐々に拡幅された上側膨出溝部１４及び下側膨出溝部１５を形成しているため、折板吊金具Ｔの施工を完了した設置後においても、これら上側膨出溝部１４及び下側膨出溝部１５の許容範囲内で吊り杆Ｔ１の曲げ調節を行うことができるのである。
【００５２】
なお、上記施工要領は、一例に過ぎず、これに限定されるわけではない。
【図面の簡単な説明】
【００５３】
【図１】本発明に係る折板吊金具用補強プレートＡの一実施例を概略した分解斜視図である。
【図２】（ａ）、（ｂ）は、図１で示した折板吊金具用補強プレートＡの正面図及び側面図である。
【符号の説明】
【００５４】
Ａ      折板吊金具用補強プレート
Ｙ      折板屋根
Ｔ      折板吊金具
Ｔ１    吊り杆
Ｔ１１  ネジ山
Ｔ２    耳保持部
Ｔ３    軒樋吊金具
１      板体
１１    取付孔
２      固着具
１２    当接片
１３    横切込部
１４    上側膨出溝部
１５    下側膨出溝部
１６    切り起し爪
【図１】
2008280795.tif 000003
【図２】
2008280795.tif 000004